(57)【要約】【課題】  各キャリアの電力レベルを低減することなく、帯域制限の際に生ずるピーク電力を精度よく制限できる送信機を提供する。【解決手段】  帯域制限後の複数のキャリアの入力信号に対し、合成した場合に想定される電力レベルに基づいてピーク電力を検出し、ピーク電力が検出されると、キャリアの入力信号を二つずつ選択し、当該選択された二つの入力信号の合成結果が位相が不変のまま規定の電力レベルだけ低減されるよう、各入力信号の振幅を変化させずに各入力信号の位相を変動させて出力する位相変動型リミッタ１５を設けた送信機である。【選択図】        図１
2005072959.tif 000002
【特許請求の範囲】
【請求項１】
複数のキャリアの入力信号に対して帯域制限を施す帯域制限部と、帯域制限後の各キャリアの入力信号を合成する合成部とを有し、合成結果を無線送信する送信機であって、
前記帯域制限部と前記合成部の間に位相変動型リミッタを設け、
前記位相変動型リミッタは、帯域制限後の複数のキャリアの入力信号に対し、これらの信号を合成した場合に想定される電力レベルが、予め設定された規定値よりも大きい場合、前記複数のキャリアの入力信号を二つの入力信号からなる組に分け、各組において、二つの入力信号の合成結果が、位相は不変のまま規定量の電力レベルだけ低減されるよう、前記二つの入力信号について位相を変動して出力する位相変動型リミッタであることを特徴とする送信機。
【発明の詳細な説明】
【技術分野】
【０００１】
本発明は、マルチキャリアの入力信号のピーク電力を制限して無線送信する送信機に係り、特に各キャリアの電力レベルを低減することなく、帯域制限の際に生ずるピーク電力を精度よく制限できる送信機に関する。
【背景技術】
【０００２】
一般的に、Ｗ−ＣＤＭＡ（Wideband Code Division Multiple Access：広帯域符号分割多元接続）方式を移動通信方式として採用する移動通信システムに備えられた基地局装置（ＣＤＭＡ基地局装置）では、物理的に遠く離れた移動局装置（ＣＤＭＡ移動局装置）まで無線信号を到達させる必要があるため、送信対象となる信号を増幅器（送信アンプ）で大幅に増幅して送信出力することが必要である。
しかしながら、増幅器はアナログデバイスであるため、その入出力特性は非線形な関数となる。特に、飽和点と呼ばれる増幅限界以降では、増幅器に入力される電力が増大しても出力電力がほぼ一定となる飽和状態になってしまう。そして、この非線形な出力によって出力信号に非線形歪が発生する。
【０００３】
通常、増幅前の送信信号は、希望信号帯域外の信号成分が帯域制限フィルタによって低レベルに抑えられるが、増幅器通過後の信号では非線形歪が発生して希望信号帯域外（隣接チャネル）へ信号成分が漏洩する。
例えば基地局装置では上記したように送信電力が高いため、このような隣接チャネルへの漏洩電力の大きさは厳しく規定されており、隣接チャネル漏洩電力（ＡＣＰ：Adjacent Channel leakage Power）を削減する技術が用いられる。
【０００４】
一方、無線通信における送信信号特性で考慮すべき点の一つに、送信ピークの問題がある。例えば、ＣＤＭＡ通信で用いる通信信号は符号多重信号であるので、それぞれの符号位相成分が一致した場合には、急峻に電力レベルが増加し、ピーク電力が発生する。このようなピーク電力を含んだ信号（ピーク信号）が基地局における送信アンプに入力されると、上述した理由によって高次の歪みが発生する。また上記ピーク信号が直交変調器に入力された場合においても、同様の現象が発生することが知られている。
このため、従来の送信ピークの制限方法として、送信信号のピークレベルが所要レベルを超えた場合に、一意にレベルを制限するピーク制限回路（ピークリミッタ）を設ける方法が従来から多用されている。
【０００５】
尚、ピークリミッタを用いてマルチキャリアのピーク制限を行う先行技術として、平成１５年２月１４日公開の特開２００３−４６４８０号公報「ピークリミッタ及びマルチキャリア増幅装置」（出願人：株式会社日立国際電気、発明者：本江直樹他）が提案されている。
上記先行技術は、各キャリアのベースバンド信号を入力し、高周波帯で合成した場合に近似的に想定されるマルチキャリア信号のピークファクタを求め、当該ピークファクタを元にして、各ベースバンド信号の振幅を抑圧した各信号を出力するものであり、所望のピークファクタを精度よく実現するように効率のよいピークリミットを行い、増幅システムの電力効率を向上できる。
【０００６】
【特許文献１】特開２００３−４６４８０号公報（第１７−２１頁、第１，３−５図）
【発明の開示】
【発明が解決しようとする課題】
【０００７】
ピークリミッタを用いた従来の一般的な送信機について、図６及び図７を用いて説明する。図６は、従来の一般的な第１の送信機の構成ブロック図であり、図７は、従来の一般的な第２の送信機の構成ブロック図である。
図６及び図７の送信機は、共にＷ−ＣＤＭＡ通信方式の基地局において用いられるものであり、ｎ（ｎ＞２）個のキャリアから成るマルチキャリアの入力信号を合成して無線送信するものである。
【０００８】
図６の送信機は、デジタル変調部１´を備えており、当該デジタル変調部１´は、各キャリアの入力信号を合成した場合に近似的に想定されるピーク電力を検出し、ピーク制限を行うピークリミッタであるレベル補正型リミッタ１１と、各キャリア毎に独立した系列として、入力信号を規定の占有帯域に帯域制限する帯域制限フィルタ１２と、入力信号を規定のサンプリングレートにアップサンプリングするアップフィルタ（図ではＵｐフィルタ）１３と、入力信号に対し直交変調を行うデジタル直交変調部１４とを有し、更に各キャリアの入力信号を合成してマルチキャリア信号を出力する加算器１６とを有する構成となっている。アップフィルタ１３は、データ補完によって入力信号の波形を滑らかにするために設けられている。
【０００９】
尚、レベル補正型リミッタ１１の具体的な構成例は、上記先行技術の図３に示されている。上記構成例は、各キャリアの入力信号を合成した場合に近似的に想定される平均電力及び瞬時電力を算出し、これらの算出結果に基づいてピークを検出し、ピークが検出された時点での入力信号の振幅を規定値に制限して、ピーク制限を実現するものとなっている。
【００１０】
また、図７の送信機は、上記デジタル変調部１´の他に、デジタル変調部１´からのマルチキャリア信号をアナログ変換するＤ／Ａコンバータ２と、マルチキャリア信号を無線送信用の周波数信号（以下無線周波数信号）に変換して出力する周波数変換部３と、マルチキャリア信号を増幅して出力する増幅器４とを備えた構成となっている。
【００１１】
次に、従来の第１及び第２の送信機の動作について説明する。
図６の送信機において、デジタル信号である各キャリアの入力信号ｆ1，ｆ2，…ｆnは、デジタル変調部１´において、レベル補正型リミッタ１１に入力される。各キャリアの入力信号は、レベル補正型リミッタ１１において、合成した場合に近似的に想定される電力レベルがピーク電力に達しているか否かが検出され、ピーク電力が検出されると、各キャリアの入力信号の電力レベルが低減されてピーク制限が行われる。
【００１２】
レベル補正型リミッタ１１においてピーク制限の行われた各キャリアの入力信号は、対応する帯域制限フィルタ１２-1〜１２-nに入力され、規定の占有帯域への帯域制限が行われる。更に各キャリアの入力信号は、アップフィルタ１３-1〜１３-nにおいて規定のサンプリングレートへアップサンプリングされた後、デジタル直交変調部１４-1〜１４-nにおいて直交変調され、加算器１６に出力される。
加算器１６において、各キャリアの入力信号は合成され、マルチキャリア信号として出力される。送信機において、マルチキャリア信号はアナログ変換され、無線周波数信号に変換された後、無線信号として送信される。
【００１３】
また、図７の送信機では、デジタル変換部１´から出力されたマルチキャリア信号は、Ｄ／Ａコンバータ２によってアナログ変換され、周波数変換部３によって無線周波数信号に変換され、更に増幅器４によって増幅された後、無線信号として送信される。
【００１４】
図６及び図７の送信機では、デジタル変調部１´の最前段にレベル補正型リミッタ１１を設け、入力信号のピーク制限を行っているが、レベル補正型リミッタ１１の後段の帯域制限フィルタ１２による帯域制限によってもピーク電力が発生することが知られている。この現象は、帯域制限前の矩形波が、帯域制限後に鈍ることによってピークが高くなるポイントが現れることに起因する。
このため、従来の送信機では、レベル補正型リミッタ１１において、帯域制限によって発生するピーク電力を想定し、ピーク電力と判断するための閾値や、ピーク電力の制限値を調整した上で、入力信号のピーク制限を行う必要があったが、当該閾値及び制限値の調整が困難であり、ピーク制限が必ずしも最適でないという問題点があった。
【００１５】
また、レベルを制限するピークリミッタは、各キャリアの入力信号についてピーク電力が検出されると、電力レベルを低減してピーク制限を行うものであるが、リミッタの動作率が高くピーク制限の頻度が多いと、合成後のマルチキャリア信号の電力レベルが変動してしまう。このため入力信号とマルチキャリア信号の間で電力レベルの偏差が生じ、通信品質が劣化するという問題点があった。
【００１６】
本発明は上記実情に鑑みて為されたもので、各キャリアの電力レベルを低減することなく、帯域制限の際に生ずるピーク電力を精度よく制限できる送信機を提供することを目的とする。
【課題を解決するための手段】
【００１７】
上記従来例の問題点を解決するための本発明は、複数のキャリアの入力信号に対して帯域制限を施す帯域制限部と、帯域制限後の各キャリアの入力信号を合成する合成部とを有し、合成結果を無線送信する送信機であって、帯域制限部と前記合成部の間に位相変動型リミッタを設け、位相変動型リミッタは、帯域制限後の複数のキャリアの入力信号に対し、これらの信号を合成した場合に想定される電力レベルが、予め設定された規定値よりも大きい場合、複数のキャリアの入力信号を二つの入力信号からなる組に分け、各組において、二つの入力信号の合成結果が、位相は不変のまま規定量の電力レベルだけ低減されるよう、二つの入力信号について位相を変動して出力する位相変動型リミッタである。
【発明の効果】
【００１８】
本発明によれば、複数のキャリアの入力信号に対して帯域制限を施す帯域制限部と、帯域制限後の各キャリアの入力信号を合成する合成部とを有し、合成結果を無線送信する送信機であって、帯域制限部と前記合成部の間に位相変動型リミッタを設け、位相変動型リミッタは、帯域制限後の複数のキャリアの入力信号に対し、これらの信号を合成した場合に想定される電力レベルが、予め設定された規定値よりも大きい場合、複数のキャリアの入力信号を二つの入力信号からなる組に分け、各組において、二つの入力信号の合成結果が、位相は不変のまま規定量の電力レベルだけ低減されるよう、二つの入力信号について位相を変動して出力する位相変動型リミッタである送信機としているので、各キャリアの電力レベルを低減することなく、帯域制限の際に生ずるピーク電力を精度よく制限できる効果がある。
【発明を実施するための最良の形態】
【００１９】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００２０】
本発明の実施の形態に係る送信機は、帯域制限後の複数のキャリアの入力信号に対し、合成した場合に想定される電力レベルに基づいてピーク電力を検出し、ピーク電力が検出されると、キャリアの入力信号を二つずつ選択し、当該選択された二つの入力信号の合成結果が位相が不変のまま規定の電力レベルだけ低減されるよう、各入力信号の振幅を変化させずに各入力信号の位相を変動させて出力する位相変動型リミッタを設けたものであり、各キャリアの電力レベルを低減することなく、帯域制限の際に生ずるピーク電力を精度よく制限することができる。
尚、請求項における帯域制限部は、図の帯域制限フィルタに相当し、合成部は加算器に相当する。
【００２１】
本発明の実施の形態に係る第１の送信機（以下、第１の送信機）の構成について、図１を用いて説明する。図１は、第１の送信機の構成ブロック図である。尚、図６及び図７と同様の構成をとる部分については同一の符号を付して説明する。
第１の送信機は、図６及び図７の送信機と同様、Ｗ−ＣＤＭＡ通信方式の基地局において用いられるものであり、ｎ（ｎ＞２）個のキャリアから成るマルチキャリアの入力信号を合成して無線送信するものである。
【００２２】
第１の送信機は、図１に示すように、デジタル変調部１を備えており、当該デジタル変調部１は、従来の送信機におけるデジタル変調部１´と同様の構成として、各キャリアの入力信号を合成した場合に近似的に想定されるピーク電力を検出し、ピーク電力が検出されると各キャリアの入力信号に対しピーク制限を行うピークリミッタであるレベル補正型リミッタ１１と、各キャリア毎に独立した系列として、入力信号を規定の占有帯域に帯域制限する帯域制限フィルタ１２と、入力信号を規定のサンプリングレートにアップサンプリングするアップフィルタ（図ではＵｐフィルタ）１３と、入力信号に対し直交変調を行うデジタル直交変調部１４とを有し、更に各キャリアの入力信号を合成してマルチキャリア信号を出力する加算器１６とを有する他、新たな構成として、位相変動型リミッタ１５を、デジタル直交変調部１４と加算器１６の間に設けた構成となっている。
【００２３】
ここで、従来の送信機におけるデジタル変調部１´の各部と同様の構成をとる部分については、詳細な説明を省略する。
本発明の特徴部分である位相変動型リミッタ１５は、帯域制限フィルタ１２による帯域制限後の各キャリアの入力信号について、当該入力信号を合成した場合に想定されるピーク電力を検出し、各キャリアの位相を変動するもので、これにより合成後の電力が低減され、帯域制限により発生するピーク電力が制限されることになる。
【００２４】
位相変動型リミッタ１５は、デジタル直交変調部１４からの各キャリアの入力信号を合成した場合に想定されるピーク電力を検出するピーク検出部と、ピーク検出部による検出結果に基づいて、各キャリアの位相変動を行うピーク制限部とで構成される。
【００２５】
ピーク検出部は、ピーク電力判断のための電力閾値が予め設定されており、各キャリアの入力信号を合成した場合に想定される電力レベルが対応する電力閾値を超えているか否かによって、ピーク電力を検出する。そしてピーク電力を検出すると、ピーク検出部は、各キャリアの入力信号を二つずつペアとして組み合わせて、ピーク制限部に出力する。ピーク電力が検出されなかった場合には、ピーク検出部は、各キャリアの入力信号を加算器１６に出力する。
ピーク検出部は、キャリア毎にスイッチ回路を設け、ピーク電力の有無の検出結果に基づいて当該スイッチ回路の接続先を切り替えることで、各キャリアの出力先を切り替えるようにしてもよい。
【００２６】
次に、位相変動型リミッタ１５のピーク制限部の構成について、図３を用いて説明する。図３は、位相変動型リミッタ１５におけるピーク制限部の構成ブロック図である。ピーク制限部は、２つのキャリアの入力信号毎に合成ベクトルを求め、当該合成ベクトルが目標のベクトルに合致するように当該２つの入力信号の位相を変動するものである。
尚、図３は、簡便化のため、２つのキャリアに対して位相変動を行うための構成部分のみ示しているが、ピーク制限部は実際には全てのキャリアに対して位相変動を行うことのできる構成となっている。また、図３に示すピーク制限部は、検出されたピーク電力を固定的に１ｄＢ低減するものである。
【００２７】
ピーク制限部は、位相比較器１０１と、加算器１０２と、乗算器１０３と、位相変動部１０４及び１０５と、加算器１０６と、位相振幅比較器１０７と、振幅比較器１０８及び１０９と、制御部１１０とから構成されている。尚、図３では、各キャリアの入力信号のうち、ピーク検出部でペアとされた２種類のキャリアの入力信号ｆ1及びｆ2に対してピーク制限を行う構成について示している。
【００２８】
以下、ピーク制限部の各部の構成について説明する。
位相比較器１０１は、位相変動対象である２つのキャリアの入力信号ｆ1、ｆ2と、後述する加算器１０２から出力される入力信号合成ベクトルＦ12との位相を比較し、各入力信号についての回転方向を決定し、回転情報として出力する。
位相比較器１０１における回転方向の決定方法については、後述する。
【００２９】
加算器１０２は、２つのキャリアの入力信号ｆ1、ｆ2を合成し、合成結果を入力信号合成ベクトルＦ12として出力する。
乗算器１０３は、加算器１０２からの入力信号合成ベクトルＦ12から、ピーク電力の低減量である−１ｄＢを乗算することで電力レベルの低減を行い、乗算結果を目標合成ベクトルＦ´12として出力する。
ピーク電力の低減については、入力信号合成ベクトルＦ12の電力レベルを１ｄＢだけ低減できるようなパラメータを記憶した記憶手段を設け、乗算器１０３に出力させるようにしてもよい。また、ピーク制限部において低減量算出部を設け、ピーク検出部の電力閾値を超えた分に相当する低減量のパラメータを算出させ、乗算器１０３に出力させるようにしてもよい。
【００３０】
位相変動部１０４は、後述する制御部１１０から出力された入力信号ｆ1に対する回転角度θ1に基づいて、キャリアの入力信号ｆ1の位相変動を行い、位相変動結果ｆ´1を出力する。また、位相変動部１０５は、後述する制御部１１０から出力された入力信号ｆ2に対する回転角度θ2に基づいて、キャリアの入力信号ｆ2の位相変動を行い、位相変動結果ｆ´2を出力する。
【００３１】
加算器１０６は、位相変動部１０４における位相変動結果ｆ´1と、位相変動部１０５における位相変動結果ｆ´2とを合成し、合成結果ｆ´1＋ｆ´2を出力する。
位相振幅比較器１０７は、乗算器１０３からの目標合成ベクトルＦ´12と、加算器１０６からの合成結果ｆ´1＋ｆ´2の位相及び振幅を比較し、比較結果を位相振幅比較情報として出力する。
【００３２】
振幅比較器１０８は、入力信号ｆ1と、位相変動結果ｆ´1との振幅を比較し、比較結果を振幅比較情報として出力する。振幅比較器１０９は、入力信号ｆ2と、位相変動結果ｆ´2との振幅を比較し、比較結果を振幅比較情報として出力する。
【００３３】
制御部１１０は、位相比較器１０１からの回転情報と、位相振幅比較器１０７からの位相振幅比較情報と、振幅比較器１０８及び１０９からの振幅比較情報と、入力信号ｆ1及びｆ2と、乗算器１１０からの目標合成ベクトルＦ´12とに基づいて、入力信号ｆ1、ｆ2の回転角度θ1、θ2を確定又は算出し、位相変動部１０４及び１０５に出力する。制御部１１０における回転角度θ1、θ2の確定又は算出方法については、後述する。
【００３４】
次に、第１の送信機の動作について説明する。
図１の送信機において、デジタル信号である各キャリアの入力信号ｆ1，ｆ2，…ｆnは、デジタル変調部１において、レベル補正型リミッタ１１に入力される。各キャリアの入力信号は、レベル補正型リミッタ１１において、合成した場合に想定される電力レベルがピーク電力に達しているか否かが検出され、ピーク電力が検出された場合には、各キャリアの入力信号の電力レベルが低減されてピーク制限が行われる。
【００３５】
レベル補正型リミッタ１１においてピーク制限の行われた各キャリアの入力信号は、対応する帯域制限フィルタ１２-1〜１２-nに入力され、規定の占有帯域への帯域制限が行われる。更に各キャリアの入力信号は、アップフィルタ１３-1〜１３-nにおいて規定のサンプリングレートへアップサンプリングされ、デジタル直交変調部１４-1〜１４-nにおいて直交変調された後、位相変動型リミッタ１５に出力される。
【００３６】
位相変動型リミッタ１５において、各キャリアの入力信号は、ピーク検出部によってピーク電力の検出が行われる。上述したように、ピーク検出部には、電力閾値が予め設定されており、各キャリアの入力信号を合成した場合に想定される電力レベルが電力閾値を超えているか否かを判断することによって、ピーク電力を検出する。
ピーク検出部においてピーク電力が検出されなければ、各キャリアの入力信号は、そのまま加算器１６に出力される。ピーク電力が検出されると、各キャリアの入力信号は、二つずつペアとなって、位相変動型リミッタ１５のピーク制限部に出力され、位相変動によるピーク制限が行われる。
【００３７】
ここで、図３及び図４を用いて、位相変動部におけるピーク制限の動作について説明する。図４は、位相変動部における入力信号の位相変動のベクトル図である。
ピーク制限対象の入力信号ｆ1は、位相変動部において位相比較器１０１、加算器１０２、位相変動部１０４、振幅比較器１０８及び制御部１１０に入力される。そしてピーク制限対象の入力信号ｆ2は、位相比較器１０１、加算器１０２、位相変動部１０５、振幅比較器１０９及び制御部１１０に入力される。
【００３８】
加算器１０２に入力された入力信号ｆ1及びｆ2は、互いに合成され、入力信号合成ベクトルＦ12として位相比較器１０１及び乗算器１０３に出力される。乗算器１０３に出力された入力信号合成ベクトルＦ12は、乗算によってピーク電力の低減量である１ｄＢだけ電力レベルが低減され、目標合成ベクトルＦ´12として位相振幅比較器１０７及び制御部１１０に出力される。
入力信号合成ベクトルＦ12及び目標合成ベクトルＦ´12の関係は、図４のベクトル図に示す通りである。目標合成ベクトルＦ´12の大きさは、入力信号合成ベクトルＦ12よりも１ｄＢ分小さいが、方向は入力信号合成ベクトルＦ12と同一である。
【００３９】
また、位相比較器１０１において、入力信号ｆ1及びｆ2は、加算器１０２からの入力信号合成ベクトルF12との間で位相の比較が行われ、比較結果に基づいて回転情報が求められる。
回転情報とは、入力信号ｆ1とｆ2が入力信号合成ベクトルＦ12から離れる方向を示すものであり、０又は１のいずれかで表される。例えば、入力信号合成ベクトルＦ12に対し、ｆ1が時計周りに離れ、ｆ2が反時計周りに離れている場合には、回転情報は０となり、逆にｆ1が反時計周りに離れ、ｆ2が時計周りに離れている場合には、回転情報は１となる。
位相比較器１０１で求められた回転情報は、制御部１１０に出力される。
【００４０】
一方、位相変動部１０４では、入力信号ｆ1に対し、制御部１１０から出力された入力信号ｆ1の回転角度θ1に基づいて、位相変動が行われる。位相変動では、入力信号ｆ1に対しｅｉθ1が複素乗算されて、入力信号ｆ1の位相がθ1だけ回転される。位相変動結果ｆ´1は、位相変動型リミッタ１５による位相変動結果として図１の加算器１６に出力される他、加算器１０６及び振幅比較器１０８に出力される。
【００４１】
また、位相変動部１０５では、入力信号ｆ2に対し、制御部１１０から出力された入力信号ｆ2の回転角度θ2に基づき、位相変動部１０４と同様の方法で位相変動が行われる。得られた位相変動結果ｆ´2は、位相変動型リミッタ１５による位相変動結果として図１の加算器１６に出力される他、加算器１０６及び振幅比較器１０９に出力される。
入力信号ｆ1及びｆ2の位相変動は、ベクトル図上では図４のように示される。図４は、入力信号ｆ1は時計周りにθ1だけ回転してｆ´1に、入力信号ｆ2は反時計周りにθ2だけ回転してｆ´2になることを示している。
【００４２】
加算器１０６に出力された位相変動結果ｆ´1及びｆ´2は、互いに合成され、合成結果ｆ´1＋ｆ´2が位相振幅比較器１０７に出力される。
位相振幅比較器１０７では、目標合成ベクトルＦ´12及び合成結果ｆ´1＋ｆ´2との間で位相及び振幅の比較が行われ、比較結果として位相振幅比較情報が求められる。比較によって位相及び振幅がいずれも等しいと判断されれば、位相振幅比較情報は１の値を取り、一方又はいずれも異なる場合には０の値を取る。
位相振幅比較器１０７で求められた位相振幅比較情報は、制御部１１０に出力される。
【００４３】
また、振幅比較器１０８では、入力信号ｆ1及び位相変動結果ｆ´1との間で振幅の比較が行われ、比較結果として振幅比較情報が求められる。、比較によって振幅が等しいと判断されれば、位相振幅比較情報は１の値を取り、異なる場合には０の値を取る。
振幅比較器１０８で求められた位相振幅比較情報は、制御部１１０に出力される。
振幅比較器１０９でも、振幅比較器１０８と同様の方法によって、入力信号ｆ1及び位相変動結果ｆ´1との間で振幅の比較が行われ、比較結果として振幅比較情報が求められ、制御部１１０に出力される。
【００４４】
制御部１１０は、位相比較器１０１からの回転情報と、位相比較振幅器１０７からの位相振幅比較情報と、振幅比較器１０８及び１０９からの振幅比較情報に基づいて、入力信号ｆ1、ｆ2の回転角度θ1、θ2を確定又は算出する。
【００４５】
ここで制御部１１０における回転角度θ1、θ2の確定又は算出方法について説明する。
位相変動型リミッタ１５における位相変動では、入力信号ｆ1、ｆ2と、これらの位相変動結果ｆ´1、ｆ´2と、目標合成ベクトルＦ´12との間に、以下の（１）〜（３）式に示す関係が成り立つことが要求される。言い換えると、位相変動型リミッタ１５は、位相変動を行うことによって、（１）〜（３）式を満たすような位相変動結果ｆ´1、ｆ´2を求め、出力することを目的としている。
【００４６】
【数１】
2005072959.tif 000003
【００４７】
上記各式のうち、（１）式が成り立つか否かは位相比較振幅器１０７からの位相振幅比較情報を参照することで判明する。同様に（２）式は振幅比較器１０８からの振幅比較情報を参照することによって、（３）式は振幅比較器１０９からの振幅比較情報を参照することによって判明する。
位相比較振幅器１０７からの位相振幅比較情報と、振幅比較器１０８及び１０９からの振幅比較情報が、いずれも１の値を取る場合には、上記（１）〜（３）式が成り立つ。この場合には、制御部１１０は、現在設定されている回転角度θ1、θ2が正しいと判断して当該回転角度を確定し、位相変動部１０４及び１０５に出力する。確定された回転角度θ1、θ2による位相変動結果ｆ´1、ｆ´2が得られることによって、合成後のマルチキャリア信号のピーク電力が１ｄＢ低減されることになる。
【００４８】
一方、位相比較振幅器１０７からの位相振幅比較情報、振幅比較器１０８及び１０９からの振幅比較情報のうち少なくとも一つが０の値を取る場合、制御部１１０は、上記（１）〜（３）式を満たすように、新たな回転角度θ1、θ2を算出する。
以下、制御部１１０における回転角度θ1、θ2の具体的な算出方法について説明する。
制御部１１０は、まず回転角度θ1、θ2を初期値（例えば０度）に設定し、回転角度θ1を規定のステップ角度（例えば１度）だけ加算して新たな回転角度θ´1を算出する。次に、制御部１１０は、入力された入力信号ｆ1を上記回転角度θ´1だけ変動させ、位相変動結果ｆ´´1を算出する。
そして制御部１１０は、位相振幅比較器１０７からの目標合成ベクトルＦ´12から、上記位相変動結果ｆ´´1を減算して入力信号ｆ2の仮想の位相変動結果ｆ´´2を求め、更に入力信号ｆ2と上記仮想の位相変動結果ｆ´´2との角度差を求め、新たな回転角度θ´2として算出する。
【００４９】
制御部１１０は、回転角度θ´1、θ´2を新たな回転角度θ1、θ2として、それぞれ位相変動部１０４、１０５に出力する。制御部１１０は、振幅比較器１０９から出力される、新たな位相変動結果に基づく振幅比較結果を監視し、当該結果が”０”、つまり入力信号ｆ2と位相変動結果ｆ´2の振幅が異なれば、制御部１１０は、回転角度θ´1にステップ角度を加算して新たな回転角度θ1を算出し、上述した回転角度の算出処理を再度行う。回転角度の算出処理は、入力信号ｆ2に対する位相変動結果が”１”となるまで、つまり入力信号ｆ2と位相変動結果ｆ´2の振幅が等しくなるまで、繰り返し行われる。
【００５０】
また、回転角度θ1、θ2の他の算出方法として、制御部１１０は、入力信号ｆ1の代わりに、予め位相変動部１０４から入力信号ｆ1の位相変動結果ｆ´1が入力される前提で、まず回転角度θ1に規定のステップ角度を加算して新たな回転角度θ´1とし、入力された位相変動結果ｆ´1を上記回転角度θ´1だけ変動させ、位相変動結果ｆ´´1を算出する。
そして制御部１１０は、位相振幅比較器１０７からの目標合成ベクトルＦ´12から、上記位相変動結果ｆ´´1を減算して入力信号ｆ2の仮想の位相変動結果ｆ´´2を求め、更に入力信号ｆ2と上記仮想の位相変動結果ｆ´´2との角度差を求め、新たな回転角度θ´2として算出する。
【００５１】
次に制御部１１０は、回転角度θ´1、θ´2を、それぞれ位相変動部１０４、１０５に出力する。制御部１１０は、振幅比較器１０９から出力される、新たな位相変動結果に基づく振幅比較結果を監視する。当該結果が”０”であれば、制御部１１０は、回転角度θ´1に更にステップ角度を加算して新たな回転角度θ´1を算出し、上述した回転角度の算出処理を再度行う。回転角度の算出処理は、入力信号ｆ2に対する位相変動結果が”１”となるまで、繰り返し行われる。
【００５２】
上記回転角度の算出処理において、制御部１１０は、回転角度θ1に対しステップ角度を加算する他、減算する処理も行う。制御部１１０は、位相比較器１０１からの位相比較結果に基づいて、ステップ角度の加算又は減算のいずれを行うかを判断する。また、制御部１１０は、入力信号の１つのサンプルデータに対し回転角度が決定するまでは、回転方向は不変とする。
【００５３】
上述したように、位相変動型リミッタ１５のピーク制限部は、キャリアの入力信号を二つずつ合成し、合成結果が規定の電力レベルだけ低減されるよう、各入力信号の振幅を変化させずに各入力信号の位相を変動させて出力するものとなっている。
ここでキャリア数ｎが偶数の場合には、ピーク制限部には図３に示す構成部分がｎ／２個備えられている。ピーク検出部は、ピーク電力を検出した場合、キャリアの入力信号を二つずつ取り出してｎ／２個のペアを作り、ペア毎に上記構成部分に出力することで、全ての入力信号に対しピーク制限処理を行うことができる。
【００５４】
キャリア数ｎが奇数の場合には、ピーク制限部には図３に示す構成部分が（ｎ＋１）／２個備えられており、このうち一つは、他の一つの構成部分における位相変動後の二つの入力信号の合成結果と、一つのキャリアの入力信号について位相変動によるピーク制限を行うものとなっている。
ピーク検出部は、キャリアの入力信号を二つずつ取り出してｎ／２個のペアを作り、当該ペアと残った１個のキャリアの入力信号をピーク制限部に出力する。ピーク制限部において、各ペアの入力信号は、二つの入力信号に対してピーク制限を行う構成部分に出力され、残った１個のキャリアの入力信号は、低減後の二つの入力信号との合成結果との間でピーク制限を行う構成部分に出力され、各構成部分においてピーク制限処理が行われる。このような構成としたことでピーク制限部は、全ての入力信号に対しピーク制限処理を行うことができる。
【００５５】
次に、位相変動型リミッタ１５におけるピーク制限部の他の構成について、図８を用いて説明する。図８は、第１の送信機の位相変動型リミッタ１５におけるピーク制限部の他の構成ブロックである。
図８に示すピーク制限部は、位相変動部１０５の代わりに減算器１１１が設けられた点と、制御部１１０´の機能が異なる点が図３のピーク制限部の構成と異なる。
減算器１１１には、乗算器１０３から目標合成ベクトルＦ´12が、位相変動部１０４から入力信号ｆ1の位相変動結果ｆ´1が入力される。また、減算器１１１は、目標合成ベクトルＦ´12から位相変動結果ｆ´1を減算し、減算結果を入力信号ｆ2の位相変動結果ｆ´2として、振幅比較器１０９及び加算器１６に出力する。
【００５６】
また、制御部１１０´は、回転角度θ1へのステップ角度の加算又は減算を行い、得られた回転角度θ´1を位相変動部１０４に出力する処理を、入力信号ｆ2及び位相変動結果ｆ´2の振幅が等しくなるまで繰り返すものである。このため制御部１１０´には、入力信号ｆ2と目標合成ベクトルＦ´12は入力されない。
また、回転角度θ´1に対応する、入力信号ｆ2の仮想の位相変動結果ｆ´´2は、図３の構成では制御部１１０によって求められるが、図８の構成では、減算器１１１によって求められるものとなっている。
上記構成により、図８のピーク制限部は、入力信号ｆ1の回転角度θ1のみを用いて入力信号ｆ1、ｆ2の位相変動を行うことができるため、制御部１１０における回転角度の算出処理の負荷を軽減し、入力信号の位相変動を迅速に行うことができる。
【００５７】
図１において、位相変動型リミッタ１５でピーク制限された各キャリアの入力信号は、加算器１６に出力される。加算器１６において、各キャリアの入力信号は合成され、マルチキャリア信号として出力される。第１の送信機において、マルチキャリア信号はアナログ変換され、無線周波数信号に変換された後、無線信号として送信される。
以上が第１の送信機の動作である。
【００５８】
第１の送信機において、位相変動型リミッタ１５は、ピーク検出部においてピーク電力が検出される毎に、各キャリアの入力信号をピーク制限部に出力し、上述した位相変動処理を行うものであるが、ピーク検出部は、ピーク電力が検出されない場合であっても、入力信号をピーク制限部に出力してもよい。
この場合、ピーク検出部は、ピーク制限部の制御部１１０、１１０´に対してピーク電力が検出されない旨を通知し、制御部１１０、１１０´は、当該入力信号に対しては位相変動を行わない、つまり回転角度を０とするような制御とすることが望ましい。
【００５９】
また、位相変動型リミッタ１５のピーク検出部は、ペアの選び方として、各キャリアの入力信号の電圧値を測定し、電圧値の近いもの同士をペアとして選ぶことが好適である。
上述したように、位相変動型リミッタ５は、キャリアの入力信号の振幅を調整せず、位相を変動させることによって合成後のピーク電力を低減させることを目的とするものである。このため、低減量を大きくするには入力信号の位相の変動量を大きくしたり、振幅値（電圧値）の近い入力信号同士について位相変動を行うことによって対応できる。特に電圧値の近い入力信号をペアとして、位相変動によるピーク制限を行うことによって、少ない位相変動量でピーク電力の低減量を大きくとることができ、規定の低減量まで低減しやすくなる。
ピーク検出部における入力信号のペアの選び方としては、電圧値の大きい又は小さい入力信号から順にペアとして選ぶ方法が考えられる。
【００６０】
また、位相変動型リミッタ１５のピーク制限部において、位相振幅比較器１０７、振幅比較器１０８及び１０９は、位相又は振幅が等しいとみなす範囲を予め設定しておき、入力される各信号の位相又は振幅の差が当該範囲内に収まる場合には、位相又は振幅が等しいと判断するようにしてもよい。
また、制御部１１０は、入力信号の振幅が等しいとみなす範囲を予め設定しておき、上記算出処理において位相変動前後の信号の振幅の差が当該範囲内に収まる場合には、振幅が等しいと判断するようにしてもよい。
【００６１】
また、位相変動型リミッタ１５のピーク制限部は、位相変動結果ｆ´1及びｆ´2は、回転角度の算出処理が行われている最中であっても、その時点における位相変動結果ｆ´1及びｆ´2を加算器１６に出力するものとなっているが、上記算出処理が終了した時点で、確定した回転角度による位相変動結果ｆ´1及びｆ´2を加算器１６に出力するような構成としてもよい。
上記構成例として、位相変動部１０４、１０５は、通常は位相変動結果ｆ´1、ｆ´2を振幅比較器１０８、１０９に出力するものとし、制御部１１０は回転角度が確定すると、位相変動部１０４及び１０５に対し制御信号を出力し、位相変動部１０４及び１０５は、制御信号が入力されると、位相変動結果ｆ´1、ｆ´2を振幅比較器１０８、１０９の他、加算器１６に出力するような構成が考えられる。
【００６２】
次に、本発明の第２の実施の形態に係る送信機（以下、第２の送信機）について、第１の送信機との相違点を中心に、図２を用いて説明する。図２は、第２の送信機の構成ブロック図である。
第２の送信機は、デジタル変調部１の他に、デジタル変調部１からのマルチキャリア信号をアナログ変換するＤ／Ａコンバータ２と、マルチキャリア信号を無線送信用の周波数信号（以下無線周波数信号）に変換して出力する周波数変換部３と、マルチキャリア信号を増幅して出力する増幅器４とを備えた構成となっている。Ｄ／Ａコンバータ２、周波数変換部３及び増幅器４については、従来の第２の送信機と同様であるので、詳細な説明は省略する。
【００６３】
第２の送信機では、デジタル変換部１から出力された、ピーク制限後のマルチキャリア信号は、Ｄ／Ａコンバータ２によってアナログ変換され、周波数変換部３によって無線周波数信号に変換され、更に増幅器４によって増幅された後、無線信号として送信される。
第２の送信機では、デジタル変換部１によってマルチキャリア信号のピーク電力が低減されているため、増幅器４における消費電力を低減することができる。
【００６４】
次に、本発明の実施の形態に係る送信機におけるピーク電力の低減の効果について、図５を用いて説明する。図５は、従来及び本発明の実施の形態に係る送信機における、リミッタ使用時のＣＣＤＦ（Complementary Cumulative Distribution Function：相補累積分布関数）を示したグラフ図である。
【００６５】
図５のグラフ図において、縦軸はピーク電力の発生確率（単位％）を、横軸はＰＡＰＲ（Peak to Average Power Ratio：ピーク電力対平均電力比）（単位ｄＢ）を表している。すなわち横軸のＰＡＰＲの数値が低いほど、ピーク電力と平均電力の差は小さくなる。
また、図５のグラフ図において、破線は従来の送信機（レベル補正型リミッタ）におけるＣＣＤＦを示しており、実線は本発明の実施の形態に係る送信機（レベル補正型リミッタ＋位相変動型リミッタ）におけるＣＣＤＦを示している。また、両送信機とも、リミッタの動作条件として、ＰＡＰＲが８ｄＢを超えた段階でピーク電力を検出するよう設定されている。
【００６６】
図５に示されるように、従来の送信機では、ＰＡＰＲが８ｄＢの場合のピーク電力発生確率は約０．０５％であるのに対し、本発明の実施の形態に係る送信機では、約０．００１％にまで減少している。また、従来の送信機では、ピーク電力発生確率が０．０００１％となるのはＰＡＰＲが約９ｄＢの時点であるが、本発明の実施の形態に係る送信機では、８ｄＢ強の時点となっている。
したがって本発明の実施の形態に係る送信機は、従来の送信機と比較して、ピーク電力を十分に低減しているといえる。
【００６７】
本発明の実施の形態に係る送信機によれば、帯域制限後の複数のキャリアの入力信号に対し、合成した場合に想定される電力レベルに基づいてピーク電力を検出し、ピーク電力が検出されると、キャリアの入力信号を二つずつ選択し、選択された二つの入力信号の合成結果が位相は不変のまま規定の電力レベルだけ低減されるよう、各入力信号の振幅を変化させずに各入力信号の位相を変動させて出力する位相変動型リミッタ１５を設けているので、各キャリアの電力レベルを低減することなく、帯域制限の際に生ずるピーク電力を精度よく制限できる効果がある。
【００６８】
特に、位相変動型リミッタ１５は、帯域制限によって発生するピーク電力を、入力信号を合成した場合に想定される電力レベルを求めることによって検出し、検出結果に基づいてピーク制限を行うものであるため、レベル補正型リミッタ１１において、帯域制限に伴うピーク制限の閾値及び制限値の調整は不要となり、帯域制限によって発生するピーク電力を精度よく制限することができる。
【００６９】
また、位相変動型リミッタ１５は、各キャリアの入力信号の位相を変動することによって、合成後のマルチキャリア信号のピーク電力を制限するものであり、入力信号の電力レベルの制限を行うものではない。したがって、リミッタの動作率が高い場合でも、マルチキャリア信号の電力レベルの変動を抑えることができ、通信品質を良好に保つことができる。
【産業上の利用可能性】
【００７０】
本発明は、マルチキャリアの入力信号をピーク電力を制限して無線送信する場合に、各キャリアの電力レベルを低減することなく、帯域制限の際に生ずるピーク電力を精度よく制限できるものである。
【図面の簡単な説明】
【００７１】
【図１】本発明の実施の形態に係る第１の送信機の構成ブロック図である。
【図２】本発明の実施の形態に係る第２の送信機の構成ブロック図である。
【図３】位相変動型リミッタ１５におけるピーク制限部の構成ブロック図である。
【図４】位相変動部における入力信号の位相変動のベクトル図である。
【図５】従来及び本発明の実施の形態に係る送信機における、リミッタ使用時のＣＣＤＦを示したグラフ図である。
【図６】従来の一般的な第１の送信機の構成ブロック図である。
【図７】従来の一般的な第２の送信機の構成ブロック図である。
【図８】位相変動型リミッタ１５におけるピーク制限部の他の構成ブロックである。
【符号の説明】
【００７２】
１…デジタル変調部、  ２…Ｄ／Ａコンバータ、  ３…周波数変換部、  ４…増幅器、  １１…レベル補正型リミッタ、  １２…帯域制限フィルタ、  １３…ＵＰフィルタ、  １４…デジタル直交変調部、  １５…位相変動型リミッタ、  １６，１０２，１０６…加算器、  １０１…位相比較器、  １０３…乗算器、  １０４，１０５…位相変動部、  １０７…位相振幅比較器、  １０８，１０９…振幅比較器、  １１０，１１０´…制御部、  １１１…減算器
【図１】
2005072959.tif 000004
【図２】
2005072959.tif 000005
【図３】
2005072959.tif 000006
【図４】
2005072959.tif 000007
【図６】
2005072959.tif 000008
【図７】
2005072959.tif 000009
【図８】
2005072959.tif 000010
【図５】
2005072959.tif 000011